(57)【特許請求の範囲】
【請求項１】
利用者が有する端末装置から情報提供者が描出された認証画像を受け付ける受付手段と、
前記受付手段によって受け付けられた前記認証画像と、予め登録された登録者が描出された登録画像とを照合する照合手段と、
前記照合手段によって前記認証画像に描出された前記情報提供者が前記登録画像に描出された登録者と一致すると認証された場合に、前記照合手段によって認証された前記情報提供者に関するユーザ情報を前記端末装置に提供する提供手段と
を備え、
前記照合手段は、
前記認証画像と、前記登録者のうち前記情報提供者が有する提供者端末の位置から所定の範囲内にある端末装置を有する登録者が描出された登録画像とを照合する
ことを特徴とする情報提供装置。
【請求項２】
前記提供手段は、
前記端末装置の位置が前記情報提供者が有する提供者端末の位置から所定の範囲内にある場合に、前記ユーザ情報を前記端末装置に提供する
ことを特徴とする請求項１に記載の情報提供装置。
【請求項３】
前記照合手段は、
前記認証画像が生成された時間と前記認証画像が受け付けられた時間との間の時間差が所定の範囲外である場合に、前記端末装置に他の認証画像の送信を要求する
ことを特徴とする請求項１または２に記載の情報提供装置。
【請求項４】
前記照合手段は、
前記受付手段によって受け付けられた前記認証画像が過去に行われた照合で使われた認証画像と一致する場合に、前記端末装置に他の認証画像の送信を要求する
ことを特徴とする請求項１〜３のいずれか一つに記載の情報提供装置。
【請求項５】
前記照合手段によって前記認証画像に描出された情報提供者が前記登録画像に描出された登録者と一致すると照合された場合に、前記ユーザ情報の提供を許可するか否かを前記情報提供者が有する提供者端末に問い合わせる確認手段と、
前記確認手段によって問い合わせた許可結果を前記提供者端末から受信する受信手段と
をさらに備え、
前記提供手段は、
前記受信手段によって受信された許可結果に基づいて前記ユーザ情報を前記端末装置に提供する
ことを特徴とする請求項１〜４のいずれか一つに記載の情報提供装置。
【請求項６】
前記受付手段は、
前記端末装置から複数の情報提供者が描出された認証画像を受け付け、
前記照合手段は、
前記認証画像に描出された情報提供者ごとに、前記登録画像に描出された登録者と照合し、
前記提供手段は、
前記照合手段によって前記認証画像に描出された情報提供者が前記登録画像に描出された登録者と一致すると認証された場合に、前記複数の情報提供者のうち前記照合手段によって認証された情報提供者に関するユーザ情報を前記端末装置に提供する
ことを特徴とする請求項１〜５のいずれか一つに記載の情報提供装置。
【請求項７】
前記提供手段は、
前記照合手段によって前記認証画像に描出された情報提供者が前記登録画像に描出された登録者と一致すると過去に認証されている場合に、前記照合手段によって照合された情報提供者に関するユーザ情報のうち、更新されたユーザ情報を前記端末装置に提供する
ことを特徴とする請求項１〜６のいずれか一つに記載の情報提供装置。
【請求項８】
前記提供手段は、
前記ユーザ情報として、前記情報提供者が業務に用いる業務情報を前記端末装置に提供する
ことを特徴とする請求項１〜７のいずれか一つに記載の情報提供装置。
【請求項９】
前記提供手段は、
前記ユーザ情報として、前記情報提供者が私用に用いる個人情報を前記端末装置に提供する
ことを特徴とする請求項１〜８のいずれか一つに記載の情報提供装置。
【請求項１０】
コンピュータが実行する情報提供方法であって、
利用者が有する端末装置から情報提供者が描出された認証画像を受け付ける受付工程と、
前記受付工程によって受け付けられた前記認証画像と、予め登録された登録者が描出された登録画像とを照合する照合工程と、
前記照合工程によって前記認証画像に描出された前記情報提供者が前記登録画像に描出された登録者と一致すると認証された場合に、前記照合工程によって認証された前記情報提供者に関するユーザ情報を前記端末装置に提供する提供工程と
を含み、
前記照合工程は、
前記認証画像と、前記登録者のうち前記情報提供者が有する提供者端末の位置から所定の範囲内にある端末装置を有する登録者が描出された登録画像とを照合する
ことを特徴とする情報提供方法。 
【請求項１１】
端末装置が実行する情報提供方法であって、
利用者が有する端末装置から情報提供者が描出された認証画像を受け付ける受付工程と、
前記受付工程によって受け付けられた前記認証画像と、予め登録された登録者が描出された登録画像とを照合する照合工程と、
前記照合工程によって前記認証画像に描出された前記情報提供者が前記登録画像に描出された登録者と一致すると認証された場合に、前記照合工程によって認証された前記情報提供者に関するユーザ情報を前記端末装置に提供する提供工程と
を含み、
前記照合工程は、
前記認証画像と、前記登録者のうち前記情報提供者が有する提供者端末の位置から所定の範囲内にある端末装置を有する登録者が描出された登録画像とを照合する
ことを特徴とする情報提供方法。
【請求項１２】
端末装置に、
利用者が有する端末装置から情報提供者が描出された認証画像を受け付ける受付手順と、
前記受付手順によって受け付けられた前記認証画像と、予め登録された登録者が描出された登録画像とを照合する照合手順と、
前記照合手順によって前記認証画像に描出された前記情報提供者が前記登録画像に描出された登録者と一致すると認証された場合に、前記照合手順によって認証された前記情報提供者に関するユーザ情報を前記端末装置に提供する提供手順と
を実行させ、
前記照合手順は、
前記認証画像と、前記登録者のうち前記情報提供者が有する提供者端末の位置から所定の範囲内にある端末装置を有する登録者が描出された登録画像とを照合する
ことを特徴とする情報提供プログラム。
【発明の詳細な説明】
【技術分野】
【０００１】
本発明は、情報提供装置、情報提供方法、端末装置及び情報提供プログラムに関する。
【背景技術】
【０００２】
近年、セキュリティを強化するために、特定のユーザのみが情報にアクセスできるように制御するアクセス制御が盛んに行われている。例えば、アクセス制御に関する技術として、一時パスワードを用いて認証する技術が提案されている。
【先行技術文献】
【特許文献】
【０００３】
【特許文献１】特開２０１０−２５７４８７号公報
【発明の概要】
【発明が解決しようとする課題】
【０００４】
しかしながら、上記の従来技術では、利用者にかかる負荷を軽減することができるとは限らない。具体的には、上記の従来技術では、ユーザがクライアント装置に入力した一時パスワードとサーバ装置によって生成された一時パスワードとを照合し、両者が一致すると判断された場合に、アクセスを認める。このため、ユーザは、アクセスするたびにサーバ装置から通知されその都度異なる一時パスワードを手動で入力する手間が発生する。このようなことから、上記の従来技術では、利用者にかかる負荷を軽減することができるとは限らない。
【０００５】
赤外線や近距離無線など直接通信できる機能を持つ端末同士であれば、比較的簡易な操作による情報授受が可能であるが、それでも、例えば赤外線機能を両者が起動し送受信部を近づけてデータの送受信を行う手間は煩雑であった。特に、直接通信できない端末間では、簡易な操作による情報授受は困難であった。すなわち、一時パスワードを使わないとしても、端末装置のユーザ間で、サーバ経由で何らかの情報を受け渡す際、受け渡しの相手を特定するためにＩＤなどの識別情報を手入力するだけでも手間は煩雑であった。
【０００６】
本願は、上記に鑑みてなされたものであって、利用者にかかる負荷を軽減することができる情報提供装置、情報提供方法、端末装置及び情報提供プログラムを提供することを目的とする。
【課題を解決するための手段】
【０００７】
本願に係る情報提供装置は、利用者が有する端末装置から情報提供者が描出された認証画像を受け付ける受付手段と、前記受付手段によって受け付けられた前記認証画像と、予め登録された登録者が描出された登録画像とを照合する照合手段と、前記照合手段によって前記認証画像に描出された前記情報提供者が前記登録画像に描出された登録者と一致すると認証された場合に、前記照合手段によって認証された前記情報提供者に関するユーザ情報を前記端末装置に提供する提供手段とを備えることを特徴とする。
【発明の効果】
【０００８】
実施形態の一態様によれば、利用者にかかる負荷を軽減することができるという効果を奏する。
【図面の簡単な説明】
【０００９】
【図１】図１は、第１の実施形態に係る情報提供処理の一例を示す図である。
【図２】図２は、第１の実施形態に係る情報提供装置の構成例を示す図である。
【図３】図３は、第１の実施形態に係る登録画像記憶部の一例を示す図である。
【図４】図４は、第１の実施形態に係るユーザ情報記憶部の一例を示す図である。
【図５】図５は、第１の実施形態に係る端末装置の構成例を示す図である。
【図６】図６は、第１の実施形態に係る端末装置による処理手順を示すフローチャートである。
【図７】図７は、第２の実施形態に係る情報提供処理の一例を示す図である。
【図８】図８は、第２の実施形態に係る情報提供装置の構成例を示す図である。
【図９】図９は、第２の実施形態に係る情報提供システムによる配信処理手順を示すシーケンス図である。
【図１０】図１０は、情報提供装置の機能を実現するコンピュータの一例を示すハードウェア構成図である。
【発明を実施するための形態】
【００１０】
以下に、本願に係る情報提供装置、情報提供方法、端末装置及び情報提供プログラムを実施するための形態（以下、「実施形態」と呼ぶ）について図面を参照しつつ詳細に説明する。なお、この実施形態により本願に係る情報提供装置、情報提供方法、端末装置及び情報提供プログラムが限定されるものではない。また、以下の各実施形態において同一の部位には同一の符号を付し、重複する説明は省略される。
【００１１】
（第１の実施形態）
〔１．情報提供処理〕
まず、図１を用いて、第１の実施形態に係る情報提供処理の一例について説明する。図１は、第１の実施形態に係る情報提供処理の一例を示す図である。図１の例では、情報提供システム１によって情報提供処理が行われる。図１に示すように、情報提供システム１は、端末装置１０と、情報提供装置１００とを含む。端末装置１０及び情報提供装置１００は、ネットワークＮを介して有線又は無線により通信可能に接続される。なお、図１に示す情報提供システム１には、複数台の端末装置１０や、複数台の情報提供装置１００が含まれてもよい。
【００１２】
端末装置１０は、カメラ機能を有する情報処理装置である。例えば、端末装置１０は、スマートフォンや、携帯電話機や、タブレット端末や、ＰＤＡ（Personal  Digital  Assistant）や、ＰＣ（Personal  Computer）等である。情報提供装置１００は、情報提供者に関するユーザ情報を端末装置１０に提供するウェブサーバ等である。
【００１３】
図１に示すように、情報提供装置１００は、登録画像記憶部１２１を有する。登録画像記憶部１２１には、ユーザＵ１０が描出された登録画像Ｒ１０、ユーザＵ２０が描出された登録画像Ｒ２０及びユーザＵ３０が描出された登録画像Ｒ３０が予め記憶されている。このユーザＵ１０、ユーザＵ２０及びユーザＵ３０に関するユーザ情報を端末装置１０に提供する情報提供処理について、図１を用いて詳細に説明する。
【００１４】
まず、端末装置１０を有する利用者Ｔ１０は、端末装置１０に搭載されたカメラ機能を用いて、ユーザＵ１０、ユーザＵ２０及びユーザＵ３０を撮影する（ステップＳ１０１）。これにより、端末装置１０は、ユーザＵ１０、ユーザＵ２０及びユーザＵ３０が描出された認証に使われる認証画像Ｐ１０を生成する。
【００１５】
そして、端末装置１０は、生成された認証画像Ｐ１０を情報提供装置１００に送信する（ステップＳ１０２）。これにより、情報提供装置１００は、端末装置１０から認証画像Ｐ１０を受け付ける。
【００１６】
そして、情報提供装置１００は、認証画像Ｐ１０と登録画像Ｒ１０、Ｒ２０及びＲ３０とを照合する。具体的には、情報提供装置１００は、認証画像Ｐ１０に描出されたユーザと登録画像Ｒ１０、Ｒ２０及びＲ３０に描出されたユーザとが同一人物であるかを照合する（ステップＳ１０３）。ここで、情報提供装置１００は、認証画像Ｐ１０に描出されたユーザＵ１０を登録画像Ｒ１０に描出されたユーザＵ１０と同一人物であると認証したものとする。
【００１７】
この場合、情報提供装置１００は、ユーザＵ１０に関するユーザ情報を端末装置１０に送信する（ステップＳ１０４）。かかるユーザ情報には、例えば、ユーザＵ１０の電話番号やメールアドレスや住所といった各種の情報が含まれる。
【００１８】
なお、情報提供装置１００は、認証画像Ｐ１０に描出されたユーザＵ１０のみに限らず、ユーザＵ２０及びユーザＵ３０に対しても同様に、登録画像Ｒ１０、Ｒ２０及びＲ３０に描出されたユーザと同一人物であるかを照合してもよい。
【００１９】
ここでは、情報提供装置１００は、認証画像Ｐ１０に描出されたユーザＵ２０を登録画像Ｒ２０に描出されたユーザＵ２０と同一人物であると認証したものとする。この場合、情報提供装置１００は、同様に、ユーザＵ２０に関するユーザ情報を端末装置１０に送信する。
【００２０】
一方、情報提供装置１００は、認証画像Ｐ１０に描出されたユーザＵ３０は顔の一部分しか写っていないため、登録画像Ｒ３０に描出されたユーザＵ３０と同一人物であると認証できなかったものとする。この場合、情報提供装置１００は、ユーザＵ３０に関するユーザ情報を端末装置１０に送信せず情報提供処理を終了する。
【００２１】
このように、第１の実施形態に係る情報提供装置１００は、認証画像に描出されたユーザが登録画像に描出されたユーザと一致すると認証された場合に、かかるユーザに関する情報を端末装置１０に提供する。これにより、情報提供装置１００は、特定のＩＤやパスワードを利用者に手動で入力させることなくユーザ情報を提供することができるので、利用者にかかる負荷を軽減することができる。
【００２２】
〔２．情報提供装置の構成〕
次に、図２を用いて、第１の実施形態に係る情報提供装置１００の構成について説明する。図２は、第１の実施形態に係る情報提供装置１００の構成例を示す図である。図２に示すように、情報提供装置１００は、通信部１１０と、記憶部１２０と、制御部１３０とを有する。
【００２３】
通信部１１０は、例えば、ＮＩＣ（Network  Interface  Card）等によって実現される。そして、通信部１１０は、ネットワークＮと有線又は無線で接続され、端末装置１０や情報提供装置１００との間で情報の送受信を行う。
【００２４】
記憶部１２０は、例えば、ＲＡＭ（Random  Access  Memory)、フラッシュメモリ（Flash  Memory）等の半導体メモリ素子、または、ハードディスク、光ディスク等の記憶装置によって実現される。記憶部１２０は、登録画像記憶部１２１と、ユーザ情報記憶部１２２とを有する。
【００２５】
登録画像記憶部１２１は、情報提供者が描出された画像を記憶する。ここで、図３に、第１の実施形態に係る登録画像記憶部１２１の一例を示す。図３に示した例では、登録画像記憶部１２１は、「ユーザＩＤ」、「登録画像」といった項目を有する。
【００２６】
「ユーザＩＤ」は、登録者を識別するための識別情報を示す。「登録画像」は、登録者が描出された登録画像を示す。この「登録画像」は、認証画像に描出された情報提供者と照合する際に使用される画像である。なお、「登録画像」は、ユーザ情報を提供する情報提供者によって予め登録される。例えば、「登録画像」は、情報提供者が操作する端末装置１０から、かかる情報提供者が描出された画像が情報提供装置１００に送信されることで登録される。
【００２７】
なお、図３では「登録画像」に「Ｒ１０」や「Ｒ２０」といった概念的な情報が格納される例を示したが、実際には、静止画像やこれらの格納場所を示すファイルパス名などが格納される。すなわち、図３では、ユーザＩＤ「Ｕ１０」によって識別される登録者が描出された登録画像「Ｒ１０」が記憶されている例を示している。
【００２８】
ユーザ情報記憶部１２２は、ユーザ毎に、かかるユーザに関する各種情報を記憶する。ここで、図４に、第１の実施形態に係るユーザ情報記憶部１２２の一例を示す。図４に示した例では、ユーザ情報記憶部１２２は、「ユーザＩＤ」、「個人情報」、「業務情報」といった項目を有する。
【００２９】
「ユーザＩＤ」は、ユーザを識別するための識別情報を示す。「個人情報」は、ユーザがプライベートで用いる個人情報を示す。例えば、「個人情報」には、図４に示すように、ユーザがプライベートで用いる個人用の電話番号やメールアドレス、自宅の住所といった各種の情報が含まれる。「業務情報」には、ユーザが業務で用いる業務情報を示す。例えば、「業務情報」には、図４に示すように、ユーザが仕事で用いる業務用の電話番号やメールアドレス、会社の住所といった各種の情報が含まれる。
【００３０】
すなわち、図４では、ユーザＩＤ「Ｕ１０」によって識別されるユーザＵ１０は、個人用の電話番号が「０８０−ＸＸＸＸ−ＸＸＸ１」、個人用のメールアドレスが「ａａａ＠ｘｘｘ．ｎｅ．ｊｐ」、自宅の住所が「埼玉県さいたま市ＡＡＡ」である例を示している。また、ユーザＵ１０は、業務用の電話番号が「０８０−ＸＸＸＸ−ＸＸＸ４」、業務用のメールアドレスが「ａａａ＠ｘｘｘ．ｃｏ．ｊｐ」、会社の住所が「東京都千代田区ＸＸＸ」である例を示している。
【００３１】
制御部１３０は、例えば、ＣＰＵ（Central  Processing  Unit）やＭＰＵ（Micro  Processing  Unit）等によって、情報提供装置１００内部の記憶装置に記憶されている各種プログラムがＲＡＭを作業領域として実行されることにより実現される。また、制御部１３０は、例えば、ＡＳＩＣ（Application  Specific  Integrated  Circuit）やＦＰＧＡ（Field  Programmable  Gate  Array）等の集積回路により実現される。
【００３２】
図２に示すように、制御部１３０は、受付部１３１と、照合部１３２と、提供部１３３とを有し、以下に説明する情報処理の機能や作用を実現または実行する。なお、制御部１３０の内部構成は、図２に示した構成に限られず、後述する情報処理を行う構成であれば他の構成であってもよい。また、制御部１３０が有する各処理部の接続関係は、図２に示した接続関係に限られず、他の接続関係であってもよい。
【００３３】
受付部１３１は、登録画像との照合に用いる認証画像を受け付ける。具体的には、受付部１３１は、端末装置１０から情報提供者が描出された認証画像を受け付ける。例えば、受付部１３１は、端末装置１０から送信された認証画像を受信したり、端末装置１０を操作してアップロードされた認証画像を取得する。なお、受付部１３１は、情報提供者が描出された認証画像に限らず、認証画像から抽出される情報提供者の特徴量を受け付けてもよい。
【００３４】
照合部１３２は、受付部１３１によって受け付けられた認証画像と予め登録された登録画像を照合する。具体的には、照合部１３２は、認証画像に描出された情報提供者と、登録画像に描出された登録者とを照合する。例えば、照合部１３２は、認証画像及び登録画像から局所特徴量を抽出し、抽出した局所特徴量を画像間で個々に照合する。これにより、照合部１３２は、情報提供者と登録者が一致するか否かを判定する。
【００３５】
提供部１３３は、情報提供者に関するユーザ情報を端末装置１０に提供する。具体的には、提供部１３３は、照合部１３２によって認証画像に描出された情報提供者が登録画像に描出された登録者と一致すると認証された場合に、照合部１３２によって認証された情報提供者のユーザ情報を端末装置１０に提供する。例えば、提供部１３３は、照合部１３２によって認証された情報提供者のユーザＩＤと対応付けられてユーザ情報記憶部１２２に記憶されているユーザ情報を端末装置１０に送信する。
【００３６】
図２に示す制御部１３０の処理例を図１の例を用いて説明する。例えば、受付部１３１は、図１に示したユーザＵ１０、ユーザＵ２０及びユーザＵ３０が描出された認証画像Ｐ１０を受け付ける。そして、照合部１３２は、認証画像Ｐ１０に描出されているユーザＵ１０、ユーザＵ２０及びユーザＵ３０を予め登録された登録画像Ｒ１０、Ｒ２０及びＲ３０と照合する。この場合、照合部１３２は、認証画像Ｐ１０に描出されたユーザＵ１０を登録画像Ｒ１０に描出されたユーザＵ１０と同一人物であると認証する。また、照合部１３２は、認証画像Ｐ１０に描出されたユーザＵ２０を登録画像Ｒ２０に描出されたユーザＵ２０と同一人物であると認証する。そして、提供部１３３は、ユーザＵ１０及びユーザＵ２０のユーザ情報を端末装置１０に提供する。
【００３７】
〔３．端末装置の構成〕
次に、図５を用いて、第１の実施形態に係る端末装置１０の構成について説明する。図５は、第１の実施形態に係る端末装置１０の構成例を示す図である。図５に示すように、端末装置１０は、通信部１１と、入力部１２と、撮影部１３と、ユーザ情報記憶部１４と、制御部１５とを有する。
【００３８】
通信部１１は、例えば、ＮＩＣ等によって実現される。そして、通信部１１は、ネットワークＮと有線又は無線で接続され、情報提供装置１００との間で情報の送受信を行う。
【００３９】
入力部１２は、ユーザから各種操作を受け付ける入力装置である。例えば、入力部１２は、キーボードやマウスや操作キー等によって実現される。なお、端末装置１０にタッチパネルが採用される場合には、入力部１２は、各種情報を表示するための表示装置であって、液晶ディスプレイ等によって実現される出力部と一体化される。
【００４０】
撮影部１３は、被写体を撮影する撮像装置である。具体的には、撮影部１３は、ＣＣＤ（Charge  Coupled  Device）やＣＭＯＳ（Complementary  Metal  Oxide  Semiconductor）などの撮像素子を搭載する。例えば、撮影部１３は、スマートフォンや携帯電話に搭載されているカメラ等によって実現される。
【００４１】
ユーザ情報記憶部１４は、ユーザ毎に、かかるユーザに関する各種情報を記憶する。かかるユーザ情報記憶部１４は、図４に示したユーザ情報記憶部１２２と同様に、「ユーザＩＤ」、「個人情報」、「業務情報」といった項目を有する。
【００４２】
制御部１５は、例えば、ＣＰＵやＭＰＵ等によって、端末装置１０内部の記憶装置に記憶されている各種プログラム（情報提供プログラムの一例に相当）がＲＡＭを作業領域として実行されることにより実現される。例えば、この各種プログラムは、ユーザ間で個人情報を交換するアプリケーションプログラムに該当する。また、制御部１５は、例えば、ＡＳＩＣやＦＰＧＡ等の集積回路により実現される。
【００４３】
図５に示すように、制御部１５は、生成部１６と、送信部１７と、受信部１８と、格納部１９とを有し、以下に説明する情報処理の機能や作用を実現または実行する。なお、制御部１５の内部構成は、図５に示した構成に限られず、後述する情報処理を行う構成であれば他の構成であってもよい。また、制御部１５が有する各処理部の接続関係は、図５に示した接続関係に限られず、他の接続関係であってもよい。
【００４４】
生成部１６は、撮像素子で撮影した画像のデジタルデータを生成する。具体的には、生成部１６は、撮影部１３によって撮影された被写体が描出された画像を生成する。例えば、生成部１６は、入力部１２によって被写体を撮影する操作が受け付けられた際に、情報提供者が描出された認証画像を生成する。
【００４５】
送信部１７は、生成部１６によって生成された画像を送信する。具体的には、送信部１７は、被写体が描出された画像を情報提供装置１００に送信する。例えば、送信部１７は、情報提供者が描出された認証画像を情報提供装置１００に送信する。
【００４６】
受信部１８は、情報提供装置１００から送信されたユーザ情報を受信する。具体的には、受信部１８は、送信部１７によって送信された認証画像が情報提供装置１００によって登録画像と認証された場合に、情報提供装置１００から提供されるユーザ情報を受信する。例えば、受信部１８は、ユーザ情報として、認証されたユーザの個人情報や業務情報を情報提供装置１００から受信する。
【００４７】
格納部１９は、情報提供装置１００から送信されたユーザ情報をユーザ情報記憶部１４に格納する。具体的には、格納部１９は、受信部１８によって情報提供装置１００から送信されたユーザ情報が受信された場合に、かかるユーザ情報をユーザ情報記憶部１４に格納する。
【００４８】
図５に示す制御部１５の処理例を図１の例を用いて説明する。例えば、生成部１６は、図１に示した利用者Ｔ１０によって被写体を撮影する操作がされた際に、ユーザＵ１０、ユーザＵ２０及びユーザＵ３０が描出された認証画像Ｐ１０を生成する。そして、送信部１７は、生成部１６によって生成された認証画像Ｐ１０を情報提供装置１００に送信する。
【００４９】
そして、情報提供装置１００は、認証画像Ｐ１０に描出されたユーザＵ１０及びユーザＵ２０を登録画像Ｒ１０及び登録画像Ｒ２０に描出された登録者と同一人物であると認証する。その後、受信部１８は、情報提供装置１００から提供されたユーザＵ１０及びユーザＵ２０のユーザ情報を受信する。そして、格納部１９は、受信部１８によって受信されたユーザＵ１０及びユーザＵ２０のユーザ情報をユーザ情報記憶部１４に格納する。
【００５０】
〔４．情報提供システムの処理フロー〕
次に、図６を用いて、第１の実施形態に係る情報提供システム１による情報提供処理の手順について説明する。図６は、第１の実施形態に係る情報提供システム１による情報提供処理手順を示すフローチャートである。
【００５１】
図６に示すように、情報提供装置１００は、端末装置１０から認証画像を受け付けたか否かを判定する（ステップＳ２０１）。このとき、情報提供装置１００は、認証画像を受け付けていない場合には（ステップＳ２０１；Ｎｏ）、認証画像を受け付けるまで待機する。
【００５２】
一方、情報提供装置１００は、認証画像を受け付けた場合には（ステップＳ２０１；Ｙｅｓ）、かかる認証画像と予め登録されている登録画像とを照合する（ステップＳ２０２）。ここで、情報提供装置１００は、認証画像に描出された情報提供者と登録画像に描出された登録者が一致するか否かを判定する（ステップＳ２０３）。このとき、情報提供装置１００は、情報提供者と登録者が一致していない場合には（ステップＳ２０３；Ｎｏ）、認証画像を再び受け付けるまで待機する。
【００５３】
一方、情報提供装置１００は、情報提供者と登録者が一致する場合には（ステップＳ２０３；Ｙｅｓ）、かかる情報提供者に関するユーザ情報を端末装置１０に送信する（ステップＳ２０４）。
【００５４】
〔５．変形例〕
上述した第１の実施形態に係る情報提供システム１は、上記実施形態以外にも種々の異なる形態にて実施されてよい。そこで、以下では、情報提供システム１の他の実施形態について説明する。なお、以下に説明する情報提供装置１００は、端末装置１０にユーザ情報を提供する情報提供処理を行う。
【００５５】
〔５−１．認証画像の再送要求（１）〕
上述してきた情報提供装置１００は、認証画像が生成された時間と認証画像が受け付けられた時間との間の時間差が所定の範囲外である場合に、端末装置１０に他の認証画像の送信を要求してもよい。
【００５６】
例えば、端末装置１０は、認証画像を生成する際に、かかる認証画像が生成された時間を認証画像に付与する。そして、端末装置１０は、生成された時間が付与された認証画像を情報提供装置１００に送信する。これにより、情報提供装置１００は、生成された時間が付与された認証画像を受け付ける。そして、情報提供装置１００は、認証画像が生成された時間と認証画像が受け付けられた時間との間の時間差が所定の範囲内であるか否かを判定する。ここで、情報提供装置１００は、かかる時間差が所定の範囲外である場合には、端末装置１０に他の認証画像の送信を要求する。情報提供者の許可なく入手した認証画像である可能性が高いからである。
【００５７】
このように、実施形態に係る情報提供装置１００は、認証画像が生成された時間と認証画像が受け付けられた時間との間の時間差が所定の範囲外である場合に、端末装置１０に他の認証画像の送信を要求する。これにより、情報提供装置１００は、認証画像が生成された時間と認証画像が受け付けられた時間との間に時間の大きな開きがある場合にはユーザ情報を提供しないので、情報提供者の認証画像を不正に入手した第３者へのユーザ情報の提供を防ぐことができる。
【００５８】
〔５−２．認証画像の再送要求（２）〕
上述してきた情報提供装置１００は、端末装置１０から受け付けた認証画像が過去に行われた照合で使われた認証画像と一致する場合に、端末装置１０に他の認証画像の送信を要求してもよい。
【００５９】
例えば、情報提供装置１００は、認証画像と登録画像とを照合するたびに、かかる認証画像を記憶する。そして、情報提供装置１００は、端末装置１０から受け付けた認証画像が過去に行われた照合で使われた認証画像と一致する場合に、端末装置１０に他の認証画像の送信を要求する。認証に成功した認証画像の使い回しを防ぐためである。
【００６０】
このように、実施形態に係る情報提供装置１００は、端末装置１０から受け付けた認証画像が過去に行われた照合で使われた認証画像と一致する場合に、端末装置１０に他の認証画像の送信を要求する。これにより、情報提供装置１００は、過去に認証に成功した使い回しの認証画像である場合にはユーザ情報を提供しないので、情報提供者の認証画像を不正に入手した第３者へのユーザ情報の提供を防ぐことができる。
【００６１】
〔５−３．複数の情報提供者〕
上述してきた情報提供装置１００は、認証画像に描出された複数の情報提供者のユーザ情報を提供してもよい。
【００６２】
例えば、情報提供装置１００は、端末装置１０から複数の情報提供者が描出された認証画像を受け付ける。そして、情報提供装置１００は、認証画像に描出された情報提供者ごとに、登録画像に描出された登録者と照合する。ここで、情報提供装置１００は、認証画像に描出された情報提供者が登録画像に描出された登録者と一致すると認証された場合に、複数の情報提供者のうち認証された情報提供者に関するユーザ情報を端末装置１０に提供する。
【００６３】
このように、実施形態に係る情報提供装置１００は、認証画像に描出された複数の情報提供者を登録者と照合し、認証された情報提供者のユーザ情報を提供する。これにより、情報提供装置１００は、利用者が１枚の認証画像を撮影するだけで複数の情報提供者のユーザ情報を提供することができるので、利用者にかかる負荷を軽減することができる。
【００６４】
〔５−４．ユーザ情報の更新〕
上述してきた情報提供装置１００は、認証画像に描出された情報提供者が登録画像に描出された登録者と一致すると過去に認証されている場合に、かかる情報提供者の更新されたユーザ情報を端末装置１０に提供してもよい。
【００６５】
例えば、情報提供装置１００は、端末装置１０から過去に認証されている情報提供者が描出された認証画像を受け付ける。そして、情報提供装置１００は、認証画像に描出された情報提供者が登録画像に描出された登録者と一致すると過去に認証されていると判定する。この場合、情報提供装置１００は、過去に認証されている情報提供者に関するユーザ情報のうち、更新されたユーザ情報を端末装置１０に提供する。
【００６６】
このように、実施形態に係る情報提供装置１００は、認証画像に描出された情報提供者が登録画像に描出された登録者と一致すると過去に認証されている場合に、かかる情報提供者の更新されたユーザ情報を端末装置１０に提供する。これにより、情報提供装置１００は、２回目以降のユーザ情報の要求に対しては更新されたユーザ情報を提供することができるので、利用者の利便性を向上させることができる。
【００６７】
〔５−５．ユーザ情報の提供（１）〕
上述してきた情報提供装置１００は、情報提供者のユーザ情報とともに、かかる情報提供者が描出された認証画像を端末装置１０に提供してもよい。
【００６８】
例えば、情報提供装置１００は、認証画像に描出された情報提供者が登録画像に描出された登録者と一致すると認証された場合に、かかる情報提供者のユーザ情報とともに情報提供者が描出された認証画像を端末装置１０に提供する。
【００６９】
このように、実施形態に係る情報提供装置１００は、情報提供者のユーザ情報とともに、かかる情報提供者が描出された認証画像を端末装置１０に提供する。これにより、情報提供装置１００は、ユーザ情報の主である情報提供者を写真と照らし合わせて確認可能な認証画像を提供することができるので、利用者の利便性を向上させることができる。
【００７０】
〔５−６．ユーザ情報の提供（２）〕
上述してきた情報提供装置１００は、認証画像に描出された情報提供者を、同一のアプリケーションに登録されている登録者に限らず、同種のアプリケーション（例えば、ＳＮＳ）に登録されている登録者と照合してもよい。
【００７１】
例えば、情報提供装置１００は、まず、認証画像に描出された情報提供者が同一のアプリケーションに登録されている登録者と照合する。ここで、情報提供装置１００は、認証画像に描出された情報提供者を認証できなかった場合には、かかる情報提供者を同種の他のアプリケーションに登録されている登録者と照合する。
【００７２】
このように、実施形態に係る情報提供装置１００は、認証画像に描出された情報提供者を同種の他のアプリケーションに登録されている登録者とも照合する。これにより、情報提供装置１００は、情報提供者をより広い範囲で照合することができるので、情報提供者を認証する可能性を高めることができる。
【００７３】
〔６．効果〕
上述してきたように、第１の実施形態に係る情報提供装置１００は、受付部１３１と、照合部１３２と、提供部１３３とを有する。受付部１３１は、利用者が有する端末装置から情報提供者が描出された認証画像を受け付ける。照合部１３２は、受付部１３１によって受け付けられた認証画像と、予め登録された登録者が描出された登録画像とを照合する。提供部１３３は、照合部１３２によって認証画像に描出された情報提供者が登録画像に描出された登録者と一致すると認証された場合に、照合部１３２によって認証された情報提供者に関するユーザ情報を端末装置に提供する。
【００７４】
これにより、第１の実施形態に係る情報提供装置１００は、特定のＩＤやパスワードを利用者に手動で入力させることなくユーザ情報を提供することができるので、利用者にかかる負荷を軽減することができる。また、ユーザ情報の提供にかかる少なくとも一方の当事者の用いる端末装置が、端末装置間で直接通信する機能を有しない場合や、そのような機能を何らかの事情で用いない場合、ＩＤやパスワードを手入力する利用者の負荷軽減という実益は特に顕著である。
【００７５】
また、第１の実施形態に係る情報提供装置１００において、照合部１３２は、認証画像が生成された時間と認証画像が受け付けられた時間との間の時間差が所定の範囲外である場合に、端末装置１０に他の認証画像の送信を要求する。
【００７６】
これにより、実施形態に係る情報提供装置１００は、認証画像が生成された時間と認証画像が受け付けられた時間との間に時間の大きな開きがある場合にはユーザ情報を提供しないので、情報提供者の認証画像を不正に入手した第３者へのユーザ情報の提供を防ぐことができる。
【００７７】
また、第１の実施形態に係る情報提供装置１００において、照合部１３２は、受付部１３１によって受け付けられた認証画像が過去に行われた照合で使われた認証画像と一致する場合に、端末装置１０に他の認証画像の送信を要求する。
【００７８】
これにより、実施形態に係る情報提供装置１００は、過去に認証に成功した使い回しの認証画像である場合にはユーザ情報を提供しないので、情報提供者の認証画像を不正に入手した第３者へのユーザ情報の提供を防ぐことができる。
【００７９】
また、第１の実施形態に係る情報提供装置１００において、受付部１３１は、端末装置１０から複数の情報提供者が描出された認証画像を受け付ける。照合部１３２は、認証画像に描出された情報提供者ごとに、登録画像に描出された登録者と照合する。提供部１３３は、照合部１３２によって認証画像に描出された情報提供者が登録画像に描出された登録者と一致すると認証された場合に、複数の情報提供者のうち照合部１３２によって認証された情報提供者に関するユーザ情報を端末装置１０に提供する。
【００８０】
これにより、実施形態に係る情報提供装置１００は、利用者が１枚の認証画像を撮影するだけで複数の情報提供者のユーザ情報を提供することができるので、利用者にかかる負荷を軽減することができる。
【００８１】
また、第１の実施形態に係る情報提供装置１００において、提供部１３３は、照合部１３２によって認証画像に描出された情報提供者が登録画像に描出された登録者と一致すると過去に認証されている場合に、照合部１３２によって照合された情報提供者に関するユーザ情報のうち、更新されたユーザ情報を端末装置１０に提供する。
【００８２】
これにより、実施形態に係る情報提供装置１００は、２回目以降のユーザ情報の要求に対しては更新されたユーザ情報を提供することができるので、利用者の利便性を向上させることができる。
【００８３】
（第２の実施形態）
上記第１の実施形態では、情報提供者が登録者と一致すると認証された場合に、ユーザ情報を提供する例を示した。第２の実施形態では、情報提供者に許可されたユーザ情報を提供する例を示す。
【００８４】
〔１．情報提供処理〕
まず、図７を用いて、第２の実施形態に係る情報提供処理の一例について説明する。図７は、第２の実施形態に係る情報提供処理の一例を示す図である。図７では、情報提供装置２００によって、情報提供者に許可されたユーザ情報が端末装置１０１に提供される例を示す。
【００８５】
図７に示すように、情報提供装置２００が有する登録画像記憶部１２１には、ユーザＵ１０が描出された登録画像Ｒ１０が予め記憶されている。このユーザＵ１０に関するユーザ情報のうち、ユーザＵ１０によって許可されたユーザ情報を端末装置１０１に提供する処理について、図７を用いて詳細に説明する。
【００８６】
まず、端末装置１０を有する利用者Ｔ１０は、端末装置１０１に搭載されたカメラ機能を用いて、ユーザＵ１０を撮影する（ステップＳ３０１）。これにより、端末装置１０１は、ユーザＵ１０が描出された認証に使われる認証画像Ｐ２０を生成する。
【００８７】
そして、端末装置１０１は、生成された認証画像Ｐ２０を情報提供装置２００に送信する（ステップＳ３０２）。これにより、情報提供装置２００は、端末装置１０１から認証画像Ｐ２０を受け付ける。
【００８８】
そして、情報提供装置２００は、認証画像Ｐ２０と登録画像Ｒ１０とを照合する。具体的には、情報提供装置２００は、認証画像Ｐ２０に描出されたユーザＵ１０と登録画像Ｒ１０に描出されたユーザとが同一人物であるかを照合する（ステップＳ３０３）。ここで、情報提供装置１００は、認証画像Ｐ２０に描出されたユーザＵ１０を登録画像Ｒ１０に描出されたユーザと同一人物であると認証したものとする。
【００８９】
この場合、情報提供装置２００は、ユーザ情報の提供を許可するか否かを情報提供者であるユーザＵ１０が有する端末装置１０２に問い合わせる（ステップＳ３０４）。そして、ユーザＵ１０は、ユーザＵ１０のユーザ情報の提供を許可するか否かに関する問い合わせに回答する。例えば、ユーザＵ１０は、ユーザＵ１０のユーザ情報のうち、提供を許可するユーザ情報として業務情報を選択して利用者Ｔ１０に提供するユーザ情報の項目を示す許可結果を情報提供装置２００に送信する（ステップＳ３０５）。これにより、情報提供装置２００は、業務情報が選択された許可結果を端末装置１０２から受信する。
【００９０】
そして、情報提供装置２００は、端末装置１０２から受信した許可結果に基づいてユーザ情報を端末装置１０１に提供する（ステップＳ３０６）。この場合、情報提供装置２００は、ユーザＵ１０のユーザ情報のうち、業務情報を端末装置１０１に提供する。
【００９１】
このように、第２の実施形態に係る情報提供装置２００は、情報提供者に許可されたユーザ情報のみを端末装置１０１に提供する。これにより、情報提供装置２００は、利用者に提供するユーザ情報を情報提供者に許可されたユーザ情報に限定することができるので、情報提供者の利便性を向上させることができる。
【００９２】
〔２．情報提供装置の構成〕
まず、図８を用いて、第２の実施形態に係る情報提供装置２００の構成について説明する。図８は、第２の実施形態に係る情報提供装置２００の構成例を示す図である。図８に示すように、情報提供装置２００は、図２に示す情報提供装置１００と比較して、制御部２３０を有する。制御部２３０は、図８に示すように、確認部２３３と、受信部２３４と、提供部２３５とを有する。
【００９３】
確認部２３３は、ユーザ情報の提供を許可するか否かを情報提供者が有する端末装置１０２に問い合わせる。具体的には、確認部２３３は、照合部１３２によって認証画像に描出された情報提供者が登録画像に描出された登録者と一致すると照合された場合に、ユーザ情報の提供を許可するか否かを端末装置１０２に問い合わせる。例えば、確認部２３３は、情報提供者のユーザ情報のうち、個人情報や業務情報など提供を許可するユーザ情報の項目を選択させるチェックボックス付のメッセージなどを端末装置１０２に送信して問い合わせる。
【００９４】
受信部２３４は、確認部２３３によって問い合わせた利用者に提供するユーザ情報の項目を示す許可結果を端末装置１０２から受信する。具体的には、受信部２３４は、情報提供者によって提供を許可するユーザ情報が選択された許可結果を端末装置１０２から受信する。例えば、受信部２３４は、情報提供者のユーザ情報のうち、個人情報や業務情報などの提供を許可するユーザ情報の項目が選択されたメッセージなどを端末装置１０２から受信する。
【００９５】
提供部２３５は、受信部２３４によって受信された許可結果に基づいてユーザ情報を端末装置１０１に提供する。具体的には、提供部２３５は、情報提供者のユーザ情報のうち、個人情報や業務情報などの提供を許可するユーザ情報として選択された項目を送信する。例えば、提供部２３５は、情報提供者のユーザ情報のうち個人情報が提供する情報として許可されている場合には、ユーザ情報のうち個人情報のみを送信する。他の例では、提供部２３５は、情報提供者のユーザ情報のうち業務情報が提供する情報として許可されている場合には、ユーザ情報のうち業務情報のみを送信する。
【００９６】
図８に示す制御部２３０の処理例を図７の例を用いて説明する。例えば、受付部１３１は、図７に示したユーザＵ１０が描出された認証画像Ｐ２０を受け付ける。そして、照合部１３２は、認証画像Ｐ２０に描出されているユーザＵ１０を予め登録された登録画像Ｒ１０と照合する。この場合、照合部１３２は、認証画像Ｐ２０に描出されたユーザＵ１０を登録画像Ｒ１０に描出されたユーザＵ１０と同一人物であると認証する。そして、確認部２３３は、ユーザＵ１０のユーザ情報の提供を許可するか否かをユーザＵ１０が有する端末装置１０２に問い合わせる。その後、受信部２３４は、端末装置１０２からユーザＵ１０によって提供を許可するユーザＵ１０のユーザ情報が選択された許可結果を受信する。そして、受信部２３４は、ユーザＵ１０のユーザ情報のうち、個人情報や業務情報などの提供を許可するユーザ情報として選択された項目を端末装置１０１に送信する。
【００９７】
〔３．情報提供システムの処理フロー〕
次に、図９を用いて、第２の実施形態に係る情報提供システム１による情報提供処理の手順について説明する。図９は、第２の実施形態に係る情報提供システム１による情報提供処理手順を示すフローチャートである。
【００９８】
図９に示すように、端末装置１０１は、認証画像を情報提供装置２００に送信する（ステップＳ４０１）。そして、情報提供装置２００は、認証画像を受け付けた場合に、かかる認証画像と予め登録されている登録画像とを照合する。ここで、情報提供装置２００は、認証画像に描出された情報提供者と登録画像に描出された登録者が一致するか否かを判定する。このとき、情報提供装置２００は、情報提供者と登録者が一致する場合には、ユーザ情報の提供を許可するか否かを端末装置１０２に問い合わせる（ステップＳ４０３）。
【００９９】
そして、端末装置１０２は、提供するユーザ情報の項目を示す許可結果を情報提供装置２００に送信する（ステップＳ４０４）。そして、情報提供装置２００は、端末装置１０２から送信された許可結果に基づいてユーザ情報を端末装置１０１に送信する（ステップＳ４０５）。
【０１００】
〔４．変形例〕
上述した第２の実施形態に係る情報提供システム１は、上記実施形態以外にも種々の異なる形態にて実施されてよい。そこで、以下では、情報提供システム１の他の実施形態について説明する。なお、以下に説明する情報提供装置２００は、端末装置１０１にユーザ情報を提供する情報提供処理を行う。
【０１０１】
〔４−１．ユーザ情報の提供〕
上述してきた情報提供装置２００は、端末装置１０１の位置が情報提供者が有する端末装置１０２の位置から所定の範囲内にある場合に、かかる情報提供者のユーザ情報を端末装置１０１に提供してもよい。
【０１０２】
例えば、端末装置１０１は、認証画像とともに、端末装置１０１の位置を示す位置情報を情報提供装置２００に送信する。これにより、情報提供装置２００は、端末装置１０１から認証画像を受け付けるとともに、端末装置１０１の位置を示す位置情報を受信する。そして、情報提供装置２００は、認証画像を受け付けた場合に、かかる認証画像と予め登録されている登録画像とを照合する。ここで、情報提供装置２００は、認証画像に描出された情報提供者と登録画像に描出された登録者が一致するか否かを判定する。このとき、情報提供装置２００は、情報提供者と登録者が一致する場合には、ユーザ情報の提供を許可するか否かを端末装置１０２に問い合わせる。
【０１０３】
そして、端末装置１０２は、提供するユーザ情報の項目を示す許可結果とともに端末装置１０２の位置を示す位置情報を情報提供装置２００に送信する（ステップＳ４０４）。そして、情報提供装置２００は、端末装置１０１の位置が端末装置１０２の位置から所定の範囲内にある場合に、端末装置１０２から送信された許可結果に基づいてユーザ情報を端末装置１０１に送信する。例えば、情報提供装置２００は、端末装置１０１の位置が端末装置１０２の位置から１０ｍ以内の場合や同じ建物のフロアにいると判定された場合に、ユーザ情報を端末装置１０１に送信する。
【０１０４】
このように、実施形態に係る情報提供装置２００は、端末装置１０１の位置が端末装置１０２の位置から所定の範囲内にある場合に、ユーザ情報を端末装置１０１に送信する。これにより、情報提供装置２００は、利用者と情報提供者が近くにいる場合にユーザ情報を提供するので、情報提供者の認証画像を不正に入手した第３者へのユーザ情報の提供を防ぐことができる。
【０１０５】
〔４−２．登録画像との照合〕
上述してきた情報提供装置２００は、認証画像と、登録者のうち情報提供者が有する端末装置１０２の位置から所定の範囲内にある端末装置１０１を有する登録者が描出された登録画像とを照合してもよい。
【０１０６】
例えば、端末装置１０１は、認証画像とともに、端末装置１０１の位置を示す位置情報を情報提供装置２００に送信する。これにより、情報提供装置２００は、端末装置１０１から認証画像を受け付けるとともに、端末装置１０１の位置を示す位置情報を受信する。ここで、情報提供装置２００は、登録者が有する各端末装置１０１の位置を逐次取得しているものとする。ここで、情報提供装置２００は、端末装置１０２の位置から所定の範囲内にある端末装置１０１を判定する。そして、情報提供装置２００は、予め登録されている登録画像のうち、端末装置１０２の位置から所定の範囲内にあると判定された端末装置１０１を有する登録者が描出された登録画像を抽出する。そして、情報提供装置２００は、端末装置１０１から受け付けた認証画像と、抽出された登録画像とを照合する。
【０１０７】
このように、実施形態に係る情報提供装置２００は、認証画像と、登録者のうち端末装置１０２の位置から所定の範囲内にある端末装置１０１を有する登録者が描出された登録画像とを照合する。これにより、情報提供装置２００は、認証画像と照合する登録画像の数を少なくすることができるので、たとえ照合精度に限りがあっても、情報提供者を正しく特定する可能性を高めることができる。
【０１０８】
〔５．効果〕
上述してきたように、第２の実施形態に係る情報提供装置２００は、確認部２３３と、受信部２３４と、提供部２３５とを有する。確認部２３３は、照合部１３２によって認証画像に描出された情報提供者が登録画像に描出された登録者と一致すると照合された場合に、ユーザ情報の提供を許可するか否かを情報提供者が有する提供者端末に問い合わせる。受信部２３４は、確認部２３３によって問い合わせた許可結果を提供者端末から受信する。提供部２３５は、受信部２３４によって受信された許可結果に基づいてユーザ情報を端末装置１０１に提供する。
【０１０９】
これにより、第１の実施形態に係る情報提供装置１００は、利用者に提供するユーザ情報を情報提供者に許可されたユーザ情報に限定することができるので、情報提供者の利便性を向上させることができる。
【０１１０】
また、第２の実施形態に係る情報提供装置２００において、提供部２３５は、端末装置１０１の位置が端末装置１０２の位置から所定の範囲内にある場合に、ユーザ情報を端末装置１０１に送信する。
【０１１１】
これにより、第２の実施形態に係る情報提供装置２００は、利用者と情報提供者が近くにいる場合にユーザ情報を提供するので、情報提供者の認証画像を不正に入手した第３者へのユーザ情報の提供を防ぐことができる。
【０１１２】
また、第２の実施形態に係る情報提供装置２００において、提供部２３５は、ユーザ情報として、情報提供者が業務に用いる業務情報を端末装置１０１に提供する。
【０１１３】
また、第２の実施形態に係る情報提供装置２００において、提供部２３５は、ユーザ情報として、情報提供者が私用に用いる個人情報を端末装置１０１に提供する。
【０１１４】
これにより、第２の実施形態に係る情報提供装置２００は、情報提供者によって指定されたユーザ情報を提供することができるので、情報提供者の利便性を向上させることができる。
【０１１５】
また、第２の実施形態に係る情報提供装置２００において、照合部１３２は、認証画像と、登録者のうち情報提供者が有する提供者端末の位置から所定の範囲内にある端末装置を有する登録者が描出された登録画像とを照合する。
【０１１６】
これにより、第２の実施形態に係る情報提供装置２００は、認証画像と照合する登録画像の数を少なくすることができるので、たとえ照合精度に限りがあっても、情報提供者を正しく特定する可能性を高めることができる。
【０１１７】
（他の実施形態）
上述した各実施形態に係る情報提供システム１は、上記実施形態以外にも種々の異なる形態にて実施されてよい。そこで、以下では、情報提供システム１の他の実施形態について説明する。なお、以下では、主に情報提供装置１００を例に挙げて他の実施形態を説明するが、以下に説明する他の実施形態は、情報提供装置２００にも適用することができる。
【０１１８】
〔１．装置構成〕
上記実施形態では、情報提供装置１００が認証画像と登録画像とを照合する例を示したが、情報提供装置１００に限らずその他の装置（例えば、照合装置）が照合処理を実行してもよい。例えば、照合装置は、図２に示した登録画像記憶部１２１と、受付部１３１と、照合部１３２とを有する。この場合、照合装置は、端末措置１０から認証画像を受け付ける。そして、照合装置は、端末装置１０から受け付けた認証画像と予め登録画像記憶部１２１に記憶している登録画像とを照合する。その後、照合装置は、照合結果を情報提供装置１００に配信する。これにより、情報提供装置１００は、照合装置から配信された照合結果に基づいて情報提供者のユーザ情報を提供する。
【０１１９】
〔２．ハードウェア構成〕
また、上述してきた実施形態に係る端末装置１０及び情報提供装置１００は、例えば図１０に示すような構成のコンピュータ１０００によって実現される。以下、情報提供装置１００を例に挙げて説明する。図１０は、情報提供装置１００の機能を実現するコンピュータ１０００の一例を示すハードウェア構成図である。コンピュータ１０００は、ＣＰＵ１１００、ＲＡＭ１２００、ＲＯＭ１３００、ＨＤＤ１４００、通信インターフェイス（Ｉ／Ｆ）１５００、入出力インターフェイス（Ｉ／Ｆ）１６００、及びメディアインターフェイス（Ｉ／Ｆ）１７００を有する。
【０１２０】
ＣＰＵ１１００は、ＲＯＭ１３００又はＨＤＤ１４００に格納されたプログラムに基づいて動作し、各部の制御を行う。ＲＯＭ１３００は、コンピュータ１０００の起動時にＣＰＵ１１００によって実行されるブートプログラムや、コンピュータ１０００のハードウェアに依存するプログラム等を格納する。
【０１２１】
ＨＤＤ１４００は、ＣＰＵ１１００によって実行されるプログラム、及び、かかるプログラムによって使用されるデータ等を格納する。通信インターフェイス１５００は、通信網５０（図２に示したネットワークＮに対応）を介して他の機器からデータを受信してＣＰＵ１１００へ送り、ＣＰＵ１１００が生成したデータを通信網５０を介して他の機器へ送信する。
【０１２２】
ＣＰＵ１１００は、入出力インターフェイス１６００を介して、ディスプレイやプリンタ等の出力装置、及び、キーボードやマウス等の入力装置を制御する。ＣＰＵ１１００は、入出力インターフェイス１６００を介して、入力装置からデータを取得する。また、ＣＰＵ１１００は、生成したデータを入出力インターフェイス１６００を介して出力装置へ出力する。
【０１２３】
メディアインターフェイス１７００は、記録媒体１８００に格納されたプログラム又はデータを読み取り、ＲＡＭ１２００を介してＣＰＵ１１００に提供する。ＣＰＵ１１００は、かかるプログラムを、メディアインターフェイス１７００を介して記録媒体１８００からＲＡＭ１２００上にロードし、ロードしたプログラムを実行する。記録媒体１８００は、例えばＤＶＤ（Digital  Versatile  Disc）、ＰＤ（Phase  change  rewritable  Disk）等の光学記録媒体、ＭＯ（Magneto-Optical  disk）等の光磁気記録媒体、テープ媒体、磁気記録媒体、または半導体メモリ等である。
【０１２４】
例えば、コンピュータ１０００が実施形態に係る情報提供装置１００として機能する場合、コンピュータ１０００のＣＰＵ１１００は、ＲＡＭ１２００上にロードされたプログラムを実行することにより、制御部１３０の機能を実現する。また、ＨＤＤ１４００には、記憶部１２０内のデータが格納される。コンピュータ１０００のＣＰＵ１１００は、これらのプログラムを記録媒体１８００から読み取って実行するが、他の例として、他の装置から通信網５０を介してこれらのプログラムを取得してもよい。
【０１２５】
また、例えば、コンピュータ１０００が実施形態に係る端末装置１０として機能する場合、コンピュータ１０００のＣＰＵ１１００は、ＲＡＭ１２００上にロードされたプログラムを実行することにより、制御部１５の機能を実現する。
【０１２６】
〔３．その他〕
上記実施形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。この他、上記文書中や図面中で示した処理手順、具体的名称、各種のデータやパラメータを含む情報については、特記する場合を除いて任意に変更することができる。例えば、各図に示した各種情報は、図示した情報に限られない。
【０１２７】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。
【０１２８】
以上、本願の実施形態のいくつかを図面に基づいて詳細に説明したが、これらは例示であり、発明の開示の欄に記載の態様を始めとして、当業者の知識に基づいて種々の変形、改良を施した他の形態で本発明を実施することが可能である。
【符号の説明】
【０１２９】
１  情報提供システム
１０  端末装置
１７  送信部
１８  受信部
１００  情報提供装置
１３１  受付部
１３２  照合部
１３３  提供部
２００  情報提供装置
２３３  確認部
２３４  受信部
２３５  提供部
【図１】
0005992896.tif 000002
【図２】
0005992896.tif 000003
【図３】
0005992896.tif 000004
【図４】
0005992896.tif 000005
【図５】
0005992896.tif 000006
【図６】
0005992896.tif 000007
【図７】
0005992896.tif 000008
【図８】
0005992896.tif 000009
【図９】
0005992896.tif 000010
【図１０】
0005992896.tif 000011